【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
成分ａ）、ｂ）、ｃ）および所望によりｄ）を反応させることにより得られる生成物〔ここで成分ａ〕は式Ｉの化合物または式Ｉの化合物の混合物であり、成分ｂ〕は式IIの化合物または式IIの化合物の混合物であり、成分ｃ〕は式III （IIIa／IIIb）の化合物または式III （IIIa／IIIb）の化合物の混合物であり、そして所望による成分ｄ〕は式IVの化合物または式IVの化合物の混合物であり、
【化１】
1999029769.tif 000001
式Ｉの化合物において、Ｙは互いに独立してＯＨ、（ＨＯＣＨ2 ＣＨ2 ）2 Ｎ−または−ＨＮＲ1 を表し、そしてＲ1 は水素原子、−ＣＨ2 ＣＨ2 ＯＨ、炭素原子数１ないし１８のアルキル基、炭素原子数５ないし１２のシクロアルキル基、
【化２】
1999029769.tif 000002
、炭素原子数３ないし６のアルケニル基、炭素原子数７ないし９のフェニルアルキル基、フェニル基もしくは１ないし３個のＡ1 によって置換されたフェニル基を表し、Ａ1 は互いに独立して炭素原子数１ないし１２のアルキル基、ハロゲン原子、ヒドロキシル基、メトキシ基またはエトキシ基を表し、式中Ｒ2 は水素原子、炭素原子数１ないし８のアルキル基、Ｏ・、ＯＨ、ＮＯ、−ＣＨ2 ＣＮ、炭素原子数１ないし１８のアルコキシ基、炭素原子数５ないし１２のシクロアルコキシ基、炭素原子数３ないし６のアルケニル基、炭素原子数７ないし９のフェニルアルキル基またはフェニル環上で炭素原子数１ないし４のアルキル基により一−、二−もしくは三−置換された炭素原子数７ないし９のフェニルアルキル基を表し、あるいはＲ2 はさらに炭素原子数１ないし８のアシル基またはＨＯＣＨ2ＣＨ2 −を表し、そしてａは数１、２、３、４または６を表し、ＹがＯＨを表しかつａが１を表す場合、Ｘは炭素原子数１ないし４５のアルキル基、炭素原子数３ないし１８のアルケニル基、−ＣＨ2 ＣＨ2 Ｔ1 （ＣＨ2 ＣＨ2 Ｏ）b Ｒ4 または
【化３】
1999029769.tif 000003
を表し、式中Ｒ2 は上記に定義した通りであり、そしてＴ1 は酸素原子、硫黄原子または＞Ｎ−Ｒ5 を表し、Ｒ4 は水素原子または炭素原子数１ないし２０のアルキル基を表し、ｂは０ないし１０の範囲の整数を表し、そしてＲ5 は水素原子、炭素原子数１ないし１８のアルキル基またはフェニル基を表し、あるいは、ＹがＯＨを表しかつａが２を表す場合、Ｘは−ＣＨ2 ＣＨ2 Ｔ2 （ＣＨ2 ＣＨ2 Ｏ）b ＣＨ2 ＣＨ2 −（式中ｂは上記に定義した通りである。）、
【化４】
1999029769.tif 000004
を表し、式中Ｔ2 は酸素原子、硫黄原子、＞Ｎ−Ｒ5 または
【化５】
1999029769.tif 000005
を表しＲ5 は上記に定義した通りであり、Ｒ6 は水素原子、炭素原子数１ないし１８のアルキル基またはフェニル基を表し、ｃは２ないし１０の範囲の整数を表し、ｄは２ないし６の範囲の整数を表し、そしてＲ7 およびＲ8 は互いに独立して水素原子、炭素原子数１ないし１８のアルキル基もしくはフェニル基を表し、またはＲ7 およびＲ8 はそれらが結合している炭素原子と一緒になって炭素原子数５ないし１２のシクロアルキリデン環を形成し、あるいはａが３を表す場合、Ｘは炭素原子数３ないし１０のアルカントリイル基またはＮ（ＣＨ2 ＣＨ2 −）3 を表し、あるいはＹがＯＨを表しかつａが４を表す場合、Ｘは炭素原子数４ないし１０のアルカンテトライル基、
【化６】
1999029769.tif 000006
を表し、式中Ｒ9 は炭素原子数１ないし４のアルキル基、−ＣＨ2 ＯＨを表し、あるいはＹがＯＨを表しかつａが６を表す場合、Ｘは
【化７】
1999029769.tif 000007
または炭素原子数６ないし１０のアルカンヘキサイル基を表し、あるいはＹがＨＮＲ1 を表しかつａが１を表す場合、Ｘは炭素原子数１ないし１８のアルキル基、炭素原子数３ないし１８のアルケニル基、炭素原子数５ないし１２のシクロアルキル基、炭素原子数７ないし９のフェニルアルキル基、フェニル基、
【化８】
1999029769.tif 000008
を表し、式中Ｒ2 は上記に定義した通りであり、またはＸはさらに
【化９】
1999029769.tif 000009
を表し、またはＸはＲ1 と一緒になって式−ＣＨ2 ＣＨ2 ＣＨ2 ＣＨ2 ＣＨ2 −もしくは−ＣＨ2 ＣＨ2 ＯＣＨ2 ＣＨ2 −の基を表し、式中Ｒ10は水素原子またはメチル基を表し、そしてｅは２もしくは３を表し、あるいはＹが−ＨＮＲ1 を表しかつａが２を表す場合、Ｘは−Ｃf Ｈ2f−、
【化１０】
1999029769.tif 000010
を表し、式中ｆは２ないし１０の範囲の整数を表し、そしてｇは１ないし６の範囲の整数を表し、そして式IIの化合物において、Ｚは水素原子または式
【化１１】
1999029769.tif 000011
の基を表し、ｋは０ないし６の範囲の整数を表し、式中ｈは２または３を表し、ｉは０ないし１２の範囲の整数を表し、そしてＲ11は炭素原子数１ないし３０のアルキル基、炭素原子数８ないし３０のアルケニル基、炭素原子数１ないし３０のヒドロキシアルキル基または炭素原子数８ないし３０のヒドロキシアルケニル基あるいは−（ＣW Ｈ2W）V Ｇを表し、式中ｖは１ないし６の範囲の整数を表し、ｗは１、２または３を表しそしてＧはＳＲ50もしくは式
【化１２】
1999029769.tif 000012
の基を表し、式中、Ｒ50は炭素原子数１ないし１８のアルキル基、フェニル基または−（ＣＨ2 ）v ＣＯ2 Ｒ53を表しそしてＲ53は水素原子または炭素原子数１ないし１２のアルキル基を表し、ただし式IIの化合物は
【化１３】
1999029769.tif 000013
の基を有し、IIIaおよびIIIbに細別される式III の化合物において、IIIaにおいてはＲ12およびＲ15は互いに独立して炭素原子数１ないし１８のアルキル基、炭素原子数５ないし１２のシクロアルキル基、フェニル基、炭素原子数７ないし９のフェニルアルキル基、
【化１４】
1999029769.tif 000014
を表し、Ｒ3 は水素原子、−ＣＨ3 もしくは
【化１５】
1999029769.tif 000015
を表し、Ｒ16は炭素原子数１ないし１８のアルキル基、炭素原子数５ないし１２のシクロアルキル基、フェニル基、炭素原子数７ないし９のフェニルアルキル基、
【化１６】
1999029769.tif 000016
を表し、ＲA は炭素原子数４ないし１２のアルキル基またはフェニル基を表し、ＲB は水素原子またはフェニル基を表し、ｎは０ないし２の範囲の整数を表し、ｍは１または２を表し、ｑは０ないし３の範囲の整数を表し、Ｒ13は水素原子または炭素原子数１ないし８のアルキル基を表し、ただし式IIIaの化合物は次式で表される基
【化１７】
1999029769.tif 000017
を少なくとも１つ含む必要があり、そしてＲ16が
【化１８】
1999029769.tif 000018
を表す場合、Ｒ12および／またはＲ15は
【化１９】
1999029769.tif 000019
である必要があり、そしてＲ3 が
【化２０】
1999029769.tif 000020
を表す場合、Ｒ12、Ｒ15およびＲ16は炭素原子数１ないし１８のアルキル基、炭素原子数５ないし１２のシクロアルキル基、フェニル基または炭素原子数７ないし９のフェニルアルキル基をのみ表すことができ、IIIbにおいてはＲ17a は炭素原子数１ないし１８のアルキル基、炭素原子数５ないし１２のシクロアルキル基、フェニル基または炭素原子数７ないし９のフェニルアルキル基を表し、ｎは０ないし２の範囲の整数を表し、ｍは１または２を表し、ｐは２ないし８の範囲の整数を表し、ｐが２を表す場合、Ｒ17はヘキソースの二価の基、ヘキシトールの二価の基、
【化２１】
1999029769.tif 000021
〔式中ｐおよびｑは上記に定義した通りである。〕、
【化２２】
1999029769.tif 000022
を表し、式中Ｒ18およびＲ20は互いに独立して水素原子または炭素原子数１ないし１２のアルキル基を表すかあるいは一緒になって−ＣＨ2 ＣＨ2 ＣＨ2 ＣＨ2ＣＨ2 −を表し、ｒは２ないし１０の範囲の整数を表し、Ｔ4 は硫黄原子、＞Ｎ−Ｒ26または
【化２３】
1999029769.tif 000023
を表し、式中Ｒ7 およびＲ8 は上記に定義した通りであり、そしてＲ26は水素原子、炭素原子数１ないし１８のアルキル基、フェニル基または１ないし３個のＡ1 により置換されたフェニル基を表し、式中Ａ1 は式Ｉにおいて上記に定義した通りであり、あるいはＲ26はさらに炭素原子数５ないし８のシクロアルキル基または
【化２４】
1999029769.tif 000024
を表し、式中Ｒ2 は上記に定義した通りであり、あるいはｐが３を表す場合、Ｒ17はヘキソースの三価の基、ヘキシトールの三価の基、
【化２５】
1999029769.tif 000025
を表し、ｐが４を表す場合、Ｒ17はヘキソースの四価の基、ヘキシトールの四価の基、炭素原子数４ないし１０のアルカンテトライル基、
【化２６】
1999029769.tif 000026
を表し、あるいは、ｐが５を表す場合、Ｒ17はヘキソースの五価の基、ヘキシトールの五価の基を表し、あるいは、ｐが６を表す場合、Ｒ17はヘキシトールの六価の基もしくは、【化２７】
1999029769.tif 000027
を表し、ｐが８を表す場合、Ｒ17はスクロース、マルトースの八価の基またはオクチオールの八価の基を表し、式IVの化合物において、Ｄは硫黄原子、
【化２８】
1999029769.tif 000028
を表し、Ｒ51およびＲ52は互いに独立して炭素原子数１ないし１８のアルキル基、非置換のまたは炭素原子数１ないし１８のアルキル基によって置換されたフェニル基を表し、そして、Ｒ54は水素原子または−ＣＨ3 を表す。〕。
【請求項２】
式Ｉの化合物において、Ｙは互いに独立してＯＨ、（ＨＯＣＨ2 ＣＨ2 ）2 Ｎ−または−ＨＮＲ1 を表し、そしてＲ1 は水素原子、−ＣＨ2 ＣＨ2 ＯＨ、炭素原子数１ないし１０のアルキル基、炭素原子数５ないし７のシクロアルキル基、
【化２９】
1999029769.tif 000029
炭素原子数３ないし６のアルケニル基、ベンジル基あるいはフェニル基を表し、式中Ｒ2 は水素原子、炭素原子数１ないし４のアルキル基、ＯＨ、−ＣＨ2 ＣＮ、炭素原子数６ないし１２のアルコキシ基、炭素原子数５ないし８のシクロアルコキシ基、アリル基、ベンジル基、アセチル基またはＨＯＣＨ2 ＣＨ2 −を表し、そしてａは数１、２、３、４または６を表し、ＹがＯＨを表しかつａが１を表す場合、Ｘは炭素原子数１ないし３０のアルキル基、炭素原子数３ないし１８のアルケニル基、−ＣＨ2 ＣＨ2 Ｔ1 （ＣＨ2 ＣＨ2 Ｏ）b Ｒ4 または
【化３０】
1999029769.tif 000030
を表し、式中Ｒ2 は上記に定義した通りであり、そしてＴ1 は酸素原子、硫黄原子または＞Ｎ−Ｒ5 を表し、Ｒ4 は水素原子または炭素原子数１ないし１０のアルキル基を表し、ｂは０ないし１０の範囲の整数を表し、そしてＲ5 は水素原子、炭素原子数１から１０のアルキル基またはフェニル基を表し、あるいは、ＹがＯＨ基を表しかつａが２を表す場合、Ｘは−ＣＨ2 ＣＨ2 Ｔ2 （ＣＨ2 ＣＨ2 Ｏ）b ＣＨ2 ＣＨ2 −〔式中ｂは上記に定義した通りである。〕、
【化３１】
1999029769.tif 000031
を表し、式中Ｔ2 は酸素原子、硫黄原子、＞Ｎ−Ｒ5 または
【化３２】
1999029769.tif 000032
を表しＲ5 は上記に定義した通りであり、Ｒ6 は水素原子、炭素原子数１ないし１０のアルキル基またはフェニル基を表し、ｃは２ないし１０の範囲の整数を表し、ｄは２ないし６の範囲の整数を表し、そしてＲ7 およびＲ8 は互いに独立して水素原子、炭素原子数１ないし１０のアルキル基もしくはフェニル基を表し、またはＲ7 およびＲ8 はそれらが結合している炭素原子と一緒になって炭素原子数５ないし７のシクロアルキル環を形成し、あるいはＹがＯＨを表しかつａが３を表す場合、Ｘは
【化３３】
1999029769.tif 000033
を表し、あるいはＹが−ＨＮＲ1 を表しかつａが１を表す場合、Ｘは炭素原子数１ないし１０のアルキル基、炭素原子数３ないし１８のアルケニル基、炭素原子数５ないし７のシクロアルキル基、ベンジル基、フェニル基、
【化３４】
1999029769.tif 000034
を表し、式中Ｒ2 は上記に定義した通りであり、あるいはＸはさらに
【化３５】
1999029769.tif 000035
を表すか、またはＸはＲ1 と一緒になって式−ＣＨ2 ＣＨ2 ＣＨ2 ＣＨ2 ＣＨ2−もしくは−ＣＨ2 ＣＨ2 ＯＣＨ2 ＣＨ2 −の基を表し、式中Ｒ10は水素原子またはメチル基を表し、そしてｅは２もしくは３を表し、そして式IIの化合物において、Ｚは水素原子または式
【化３６】
1999029769.tif 000036
の基を表し、ｋは０ないし４の範囲の整数を表し、式中ｈは２または３を表し、ｉは０ないし６の範囲の整数を表し、そしてＲ11は炭素原子数１ないし２０のアルキル基、炭素原子数８ないし２０のアルケニル基、炭素原子数１ないし２０のヒドロキシアルキル基または炭素原子数８ないし２０のヒドロキシアルケニル基あるいは−（ＣW Ｈ2W）V Ｇを表し、式中ｖは１ないし３の範囲の整数を表し、ｗは１、２または３を表しそしてＧはＳＲ50もしくは式
【化３７】
1999029769.tif 000037
の基を表し、式中、Ｒ50は炭素原子数１ないし１８のアルキル基、フェニル基または−（ＣＨ2 ）v ＣＯ2 Ｒ53を表しそしてＲ53は水素原子または炭素原子数１ないし１２のアルキル基を表し、ただし式IIの化合物は
【化３８】
1999029769.tif 000038
の基を含み、式IIIaの化合物において、Ｒ12およびＲ15は互いに独立して炭素原子数１ないし６のアルキル基、炭素原子数５ないし７のシクロアルキル基、フェニル基、ベンジル基、
【化３９】
1999029769.tif 000039
を表し、Ｒ3 は水素原子を表し、Ｒ16は炭素原子数１ないし１８のアルキル基、炭素原子数５ないし１２のシクロアルキル基、フェニル基、炭素原子数７ないし９のフェニルアルキル基、
【化４０】
1999029769.tif 000040
を表し、ＲA は炭素原子数８ないし１２のアルキル基を表し、ＲB は水素原子またはフェニル基を表し、ｎは０ないし２の範囲の整数を表し、ｍは１または２を表し、ｑは０ないし３の範囲の整数を表し、Ｒ13は水素原子または−ＣＨ3 を表し、ただし式IIIaの化合物は少なくとも１つの基：
【化４１】
1999029769.tif 000041
を含む必要があり、そしてＲ16が
【化４２】
1999029769.tif 000042
を表す場合、Ｒ12および／またはＲ15は
【化４３】
1999029769.tif 000043
である必要があり、そしてＲ3 が
【化４４】
1999029769.tif 000044
を表す場合、Ｒ12、Ｒ15およびＲ16は炭素原子数１ないし１８のアルキル基、炭素原子数５ないし１２のシクロアルキル基、フェニル基または炭素原子数７ないし９のフェニルアルキル基をのみ表すことができ、IIIbにおいてはＲ17a は炭素原子数１ないし６のアルキル基を表し、ｎは１を表し、そしてｍは１を表し、ｐが２を表す場合、Ｒ17はヘキソースの二価の基、ヘキシトールの二価の基、
【化４５】
1999029769.tif 000045
〔式中ｐおよびｑは上記に定義した通りである。〕、
【化４６】
1999029769.tif 000046
を表し、式中Ｔ4 は硫黄原子、＞Ｎ−Ｒ26または
【化４７】
1999029769.tif 000047
を表し、式中Ｒ7 およびＲ8 は上記に定義した通りであり、そしてＲ26は水素原子、炭素原子数１ないし１０のアルキル基、フェニル基、炭素原子数５ないし８のシクロアルキル基または
【化４８】
1999029769.tif 000048
を表し、式中Ｒ2 は上記に定義した通りであり、所望により、式IVの化合物において、Ｄは硫黄原子、
【化４９】
1999029769.tif 000049
を表し、Ｒ51およびＲ52は互いに独立して炭素原子数１ないし１２のアルキル基、非置換のまたは炭素原子数１ないし１２のアルキル基によって置換されたフェニル基を表し、そして、Ｒ54は水素原子または−ＣＨ3 を表す、請求項１に記載の生成物。
【請求項３】
式Ｉの化合物において、Ｙは互いに独立してＯＨ、（ＨＯＣＨ2 ＣＨ2 ）2 Ｎ−または−ＨＮＲ1 を表し、そしてＲ1 は水素原子、−ＣＨ2 ＣＨ2 ＯＨ、炭素原子数１ないし４のアルキル基、
【化５０】
1999029769.tif 000050
を表し、式中Ｒ2 は水素原子、炭素原子数１ないし４のアルキル基、ＯＨ、アリル基、ベンジル基、アセチル基またはＨＯＣＨ2 ＣＨ2 −を表し、そしてａは数１、２、３、４または６を表し、ＹがＯＨを表しかつａが１を表す場合、Ｘは炭素原子数１ないし１８のアルキル基、炭素原子数３ないし１８のアルケニル基、−ＣＨ2 ＣＨ2 Ｔ1 （ＣＨ2 ＣＨ2 Ｏ）b Ｒ4 または
【化５１】
1999029769.tif 000051
を表し、式中Ｒ2 は上記に定義した通りであり、そしてＴ1 は酸素原子または＞Ｎ−Ｒ5 を表し、Ｒ4 は水素原子または炭素原子数１ないし４のアルキル基を表し、ｂは０ないし１０の範囲の整数を表し、あるいはＹがＯＨを表しかつａが２を表す場合、Ｘは−ＣＨ2 ＣＨ2 Ｔ2 （ＣＨ2 ＣＨ2 Ｏ）b ＣＨ2 ＣＨ2 −を表し、式中ｂは上記に定義した通りであり、あるいはさらにＸは
【化５２】
1999029769.tif 000052
を表し、式中Ｔ2 は酸素原子、硫黄原子または＞Ｎ−Ｒ5 を表し、Ｒ5 は水素原子を表し、ｂは数０または１を表し、ｃは２ないし８の範囲の整数を表し、あるいはａが３を表す場合、Ｘは
【化５３】
1999029769.tif 000053
またはＮ（ＣＨ2 ＣＨ2 −）3 を表し、あるいは、ＹがＯＨを表しかつａが４を表す場合、Ｘは
【化５４】
1999029769.tif 000054
を表し、あるいはＹがＯＨを表しかつａが６を表す場合、Ｘは
【化５５】
1999029769.tif 000055
を表し、あるいはＹが−ＨＮＲ1 を表しかつａが１を表す場合、Ｘは炭素原子数１ないし１０のアルキル基、炭素原子数３ないし１８のアルケニル基、炭素原子数５ないし７のシクロアルキル基または、
【化５６】
1999029769.tif 000056
を表し、式中Ｒ2 は上記に定義した通りであり、あるいはＹが−ＨＮＲ1 を表しかつａが２を表す場合、Ｘは−Ｃf Ｈ2f−を表し、式中ｆは２ないし１０の範囲の整数を表し、そして式IIの化合物において、Ｚは水素原子または式
【化５７】
1999029769.tif 000057
の基を表し、ｋは１、２または３を表し、ｈは２または３を表し、ｉは０ないし４の範囲の整数を表し、そしてＲ11は炭素原子数１ないし２０のアルキル基、炭素原子数８ないし２０のアルケニル基、炭素原子数１ないし２０のヒドロキシアルキル基または炭素原子数８ないし２０のヒドロキシアルケニル基あるいは−（ＣW Ｈ2W）V Ｇを表し、式中ｖは１または２を表し、ｗは１、２または３を表しそしてＧはＳＲ50もしくは式
【化５８】
1999029769.tif 000058
の基を表し、式中、Ｒ50は炭素原子数１ないし１８のアルキル基、フェニル基または−（ＣＨ2 ）v ＣＯ2 Ｒ53を表しそしてＲ53は水素原子または炭素原子数１ないし１２のアルキル基を表し、ただし式IIの化合物は
【化５９】
1999029769.tif 000059
の基を含み、式IIIaの化合物において、Ｒ12およびＲ15は互いに独立して炭素原子数１ないし４のアルキル基を表し、Ｒ3 は水素原子を表し、Ｒ16は
【化６０】
1999029769.tif 000060
を表し、Ｒ13は水素原子または−ＣＨ3 を表し、IIIbにおいてはＲ17a は第三ブチル基を表し、ｎは１を表し、そしてｍは１を表し、ｐが２を表す場合、Ｒ17はヘキソースの二価の基、ヘキシトールの二価の基、
【化６１】
1999029769.tif 000061
〔式中ｐおよびｑは上記に定義した通りである。〕、−ＣＨ2 ＣＨ2 Ｔ4 ＣＨ2 ＣＨ2 −または
【化６２】
1999029769.tif 000062
を表し、式中ｒは２ないし１０の範囲の整数を表し、Ｔ4 は硫黄原子または＞Ｎ−Ｒ26を表し、Ｒ26は水素原子、炭素原子数１ないし１０のアルキル基または炭素原子数５ないし８のシクロアルキル基、あるいはｐが３を表す場合、Ｒ17はヘキソースの三価の基、ヘキシトールの三価の基、
【化６３】
1999029769.tif 000063
を表し、ｐが４を表す場合、Ｒ17はヘキソースの四価の基、ヘキシトールの四価の基、
【化６４】
1999029769.tif 000064
を表し、式IVの化合物において、Ｄは硫黄原子、
【化６５】
1999029769.tif 000065
を表し、Ｒ51およびＲ52は互いに独立して炭素原子数１ないし１２のアルキル基、非置換のまたは炭素原子数１ないし８のアルキル基によって置換されたフェニル基を表し、そして、Ｒ54は水素原子または−ＣＨ3 を表す請求項１記載の生成物。
【請求項４】
式Ｉの化合物において、Ｙは互いに独立してヒドロキシル基または−ＮＨ2 を表し、そしてａは１ないし４の範囲の整数を表し、ａが１を表す場合、Ｘは
【化６６】
1999029769.tif 000066
を表し、そしてＲ2 は水素原子、メチル基またはＨＯＣＨ2 ＣＨ2 −を表し、あるいはＹがＯＨを表しかつａが２を表す場合、Ｘは−ＣＨ2 ＣＨ2 Ｔ2 （ＣＨ2 ＣＨ2 Ｏ）b ＣＨ2 ＣＨ2 −、−ＣC Ｈ2C−または、
【化６７】
1999029769.tif 000067
を表し、式中Ｔ2 は酸素原子、硫黄原子、＞Ｎ−Ｒ5 を表しＲ5 は水素原子を表し、ｂは数０または１を表し、ｃは数２、３または４を表し、あるいはＹがＯＨを表しかつａが３を表す場合、Ｘは
【化６８】
1999029769.tif 000068
を表し、あるいは、ＹがＯＨを表しかつａが４を表す場合、Ｘは
【化６９】
1999029769.tif 000069
を表し、そして式IIの化合物において、Ｚは水素原子または式
【化７０】
1999029769.tif 000070
の基を表し、ｋは数１を表し、そしてＲ11は炭素原子数１ないし２０のアルキル基、炭素原子数８ないし２０のアルケニル基、炭素原子数１ないし２０のヒドロキシアルキル基もしくは炭素原子数８ないし２０のヒドロキシアルケニル基または−（ＣW Ｈ2W）v Ｇを表し、式中ｖは１または２を表し、ｗは１、２または３を表し、そしてＧはＳＲ50または式【化７１】
1999029769.tif 000071
の基を表し、式中Ｒ50は炭素原子数１ないし１８のアルキル基、フェニル基または−（ＣＨ2 ）vＣＯ2 Ｒ53を表し、そしてＲ53は水素原子または炭素原子数１ないし１２のアルキル基を表し、ただし式IIの化合物は
【化７２】
1999029769.tif 000072
の基を含み、そして、式IIIaの化合物において、Ｒ12は第三ブチル基を表し、Ｒ15は−ＣＨ3 または第三ブチル基を表し、Ｒ3 は水素原子を表し、Ｒ16は
【化７３】
1999029769.tif 000073
を表し、所望により、式IVの化合物において、Ｄは硫黄原子または
【化７４】
1999029769.tif 000074
を表し、そしてＲ51およびＲ52は互いに独立して炭素原子数３ないし８のアルキル基を表す、請求項１に記載の生成物。
【請求項５】
式IVにおいて、Ｄは硫黄原子または
【化７５】
1999029769.tif 000075
を表し、そしてＲ51およびＲ52は互いに独立して炭素原子数１ないし１２のアルキル基、非置換のまたは炭素原子数１ないし８のアルキル基によって置換されたフェニル基を表す、請求項１に記載の生成物。
【請求項６】
ａ）酸化、熱または光により誘導される分解もしくはエンジン内における摩擦、摩耗および／または腐食の増加を導く事象にさらされる有機材料およびｂ）少なくとも一個の請求項１に記載の生成物を含む組成物。